(57)【要約】      （修正有）【課題】現場作業が容易で信頼性も高く、かつ工期も短縮できる鋼製建築部材の接続具、及び同接続金具を使用した建築部材の接続構造を提供する。【解決手段】底面１５を前面にして横設された有底短四角筒の下部側壁１１と左側側壁１２とが、前記有底短四角筒の底面から突出してＬ字状の壁面を構成し、かつ前記左側側壁が前記突出した壁面部を含め、前記有底短四角筒の上方に側壁の厚みに相当する幅の突出縁部１２'ａを有し、さらに前記有底短四角筒の底面に複数の締結具挿入孔を穿設してなる雄側金具１ａと、底面を前面にして横設された有底短四角筒の下部側壁１１と右側側壁１４とが、前記有底短四角筒の底面から突出してＬ字状の壁面を構成し、かつ前記右側側壁が前記突出した壁面部を含め、前記有底短四角筒の上方に側壁の厚みに相当する幅の突出縁部１４'ａを有し、さらに前記有底短四角筒の底面に複数の締結具挿入孔を穿設してなる雌側金具１ｂとによる。【選択図】  図２
2004353412.tif 000002
【特許請求の範囲】
【請求項１】
底面を前面にして横設された有底短四角筒の下部側壁と左側側壁とが、前記有底短四角筒の底面から突出してＬ字状の壁面を構成し、かつ前記左側側壁が前記突出した壁面部を含め、前記有底短四角筒の上方に側壁の厚みに相当する幅の突出縁部を有し、さらに前記有底短四角筒の底面に複数の締結具挿入孔を穿設してなる雄側金具と、
底面を前面にして横設された有底短四角筒の下部側壁と右側側壁とが、前記有底短四角筒の底面から突出してＬ字状の壁面を構成し、かつ前記右側側壁が前記突出した壁面部を含め、前記有底短四角筒の上方に側壁の厚みに相当する幅の突出縁部を有し、さらに前記有底短四角筒の底面に複数の締結具挿入孔を穿設してなる雌側金具と、
の雌雄一対の金具からなることを特徴とする鋼製建築部材の接続金具。
【請求項２】
横設された有底短四角筒の下部側壁と左側側壁とが、前記有底短四角筒の底面から突出してＬ字状の壁面を構成し、かつ前記左側側壁が、前記有底短四角筒の上方に側壁の厚みに相当する幅の突出縁部を有し、さらに前記有底短四角筒の底面に複数の締結具挿入孔を穿設してなる雄側金具と、
横設された有底短四角筒の下部側壁と右側側壁とが、前記有底短四角筒の底面から突出してＬ字状の壁面を構成し、かつ前記右側側壁が、前記有底短四角筒の上方に側壁の厚みに相当する幅の突出縁部を有し、さらに前記有底短四角筒の底面に複数の締結具挿入孔を穿設してなる雌側金具とを、
その底面同士が当接するように配設し、前記雌雄の金具の締結具挿入孔に締結具を挿入・締結することにより、予め前記鋼製建築部材の接続金具の雄側金具が溶着された鋼製の土台、柱、梁などの建築部材と、前記接続金具の雌側金具が溶着された鋼製の土台、柱、梁などの建築部材とを接続してなることを特徴とする鋼製建築部材の接続金具を使用した建築部材の接続構造。
【発明の詳細な説明】
【０００１】
【発明の属する技術分野】本発明は、鋼構造の建築物において、鋼製の柱、梁、土台などの建築部材を接続する接続金具、及び前記接続金具を使用した鋼製建築部材の接続構造に関する。
【０００２】
【従来の技術及び発明が解決しようとする課題】住宅などの軽量鋼構造の建築物の在来工法においては、土台に柱を立設したり、柱同士を接合したり、さらには柱へ梁を架設したりする場合、施工現場でそれぞれの部材の接合部にガセット板等の補強材を溶接したりボルトとナット等によって締着したりして、両者を接続・固着する方法が採られている。
しかし、施工現場において前記ガセット板等の補強材を溶接したりボルトとナットで締着して土台、柱、梁等の鋼製建築部材を接続するには、施工現場に溶接や位置決めなどに熟練した技術者を配置する必要があり、また現場作業のため信頼性の劣る恐れもあり、さらには工期も長引き、施工効率が悪い等の問題があった。
したがって、本発明の課題は、現場作業が容易で信頼性も高く、かつ工期も短縮できる鋼製建築部材の接続金具、及び同接続金具を使用した建築部材の接続構造を提供することにある。
【０００３】
【課題を解決するための手段】本発明者は上記課題を下記の手段によって解決した。
（１）底面を全面にして横設された有底短四角筒の下部側壁と左側側壁とが、前記有底短四角筒の底面から突出してＬ字状の壁面を構成し、かつ前記左側側壁が前記突出した壁面部を含め、前記有底短四角筒の上方に側壁の厚みに相当する幅の突出縁部を有し、さらに前記有底短四角筒の底面に複数の締結具挿入孔を穿設してなる雄側金具と、
底面を全面にして横設された有底短四角筒の下部側壁と右側側壁とが、前記有底短四角筒の底面から突出してＬ字状の壁面を構成し、かつ前記右側側壁が前記突出した壁面部を含め、前記有底短四角筒の上方に側壁の厚みに相当する幅の突出縁部を有し、さらに前記有底短四角筒の底面に複数の締結具挿入孔を穿設してなる雌側金具と、
の雌雄一対の金具からなることを特徴とする鋼製建築部材の接続金具。
【０００４】
（２）横設された有底短四角筒の下部側壁と左側側壁とが、前記有底短四角筒の底面から突出してＬ字状の壁面を構成し、かつ前記左側側壁が、前記有底短四角筒の上方に側壁の厚みに相当する幅の突出縁部を有し、さらに前記有底短四角筒の底面に複数の締結具挿入孔を穿設してなる雄側金具と、
横設された有底短四角筒の下部側壁と右側側壁とが、前記有底短四角筒の底面から突出してＬ字状の壁面を構成し、かつ前記右側側壁が、前記有底短四角筒の上方に側壁の厚みに相当する幅の突出縁部を有し、さらに前記有底短四角筒の底面に複数の締結具挿入孔を穿設してなる雌側金具とを、
その底面同士が当接するように配設し、前記雌雄の金具の締結具挿入孔に締結具を挿入・締結することにより、予め前記鋼製建築部材の接続金具の雄側金具が溶着された鋼製の土台、柱、梁などの建築部材と、前記接続金具の雌側金具が溶着された鋼製の土台、柱、梁などの建築部材とを接続してなることを特徴とする鋼製建築部材の接続金具を使用した建築部材の接続構造。
【０００５】
【発明の実施の形態】本発明の実施の形態を、実施例の図に基づいて説明する。
図１は本発明の鋼製建築部材の接続金具の実施例の斜視図、図２は接続金具の接続方法を示す斜視図、図３は本実施例の接続金具を使用した土台と柱の接続構造を示す斜視図、図４は本実施例の接続金具を使用した柱同士の接続構造を示す斜視図、図５は本実施例の接続金具を用いた柱と梁の接続構造を示す斜視図である。
図において１は接続金具、１ａは雄側金具、１ｂは雌側金具、２は柱、３は土台、４は梁、５はボルト、６はナット、７は座金である。また１１、１２、１３、１４はそれぞれ底面を前面にして横設された有底短四角筒の下部側壁、左側側壁、上部側壁、右側側壁であり、１１’は前記有底短四角筒の下部側壁が該四角筒の底面から突出した部分を含めた接続金具突出側壁、１２’は前記左側側壁が前記有底短四角筒の底面から突出した部分を含めた雄側金具突出側壁、１４’は前記右側側壁が前記有底短四角筒の底面から突出した部分を含めた雌側金具突出側壁、１２’ａ、１４’ａは雄側金具、雌側金具の突出縁部、１５は有底短四角筒の底面、１６は締結具挿入孔である。
【０００６】
本発明の鋼製建築部材の接続金具１は、図１の実施例に示すように、底面１５を前面にして横設された有底短四角筒の下部側壁１１と左側側壁１２とが、前記有底短四角筒の底面１５から突出してＬ字状の壁面を構成し、かつ前記左側側壁１２が前記突出した壁面部を含め、前記有底短四角筒の上方に側壁の厚みに相当する幅の突出縁部１２’ａを有し、さらに前記有底短四角筒の底面１５に  複数の締結具挿入孔１６を穿設してなる雄側金具１ａと、
底面１５を前面にして横設された有底短四角筒の下部側壁１１と右側側壁１４とが、前記有底短四角筒の底面１５から突出してＬ字状の壁面を構成し、かつ前記右側側壁１４が前記突出した壁面部を含め、前記有底短四角筒の上方に側壁の厚みに相当する幅の突出縁部１４’ａを有し、さらに前記有底短四角筒の底面１５に複数の締結具挿入孔１６を穿設してなる雌側金具１ｂとで構成されている。
なお、前記有底短四角筒の下部側壁１１、左側側壁１２、右側側壁１４が前記有底短四角筒の底面１５から突出した壁面部を含めての側壁を、以降接続金具突出側壁１１’、雄側金具突出側壁１２’、雌側金具突出側壁１４’と記載する。
【０００７】
雄側金具１ａと雌側金具１ｂは、図２に示すようにその底面１５同士が当接するように配設し、前記雄側金具１ａと雌側金具１ｂの締結具挿入孔１６を整合させて貫通孔を形成した後、該貫通孔にボルト５が挿通され、ナット６により締結されることによって接続金具１としての機能を発揮することになる。ボルト５とナット６による締結の際、座金７を用いることが好ましい。
なお、前記雄側金具１ａと雌側金具１ｂとの配設は、その構造上一つの向き、すなわち、雄側金具１ａの接続金具突出側壁１１’と雌側金具１ｂの有底短四角筒の上部側壁１３、雄側金具突出側壁１２’と雌型金具１ｂの有底短四角筒の左側側壁１２、雄側金具１ａの有底短四角筒の上部側壁１３と雌側金具１ｂの接続金具突出側壁１１’、雄側金具１ａの有底短四角筒の右側側壁１４と雌側金具突出側壁１４’とが当接する向きに限られるので、作業現場で接続向きを間違えるという恐れは全くない。
【０００８】
（土台への柱の立設）
上記実施例の接続金具１を使用して土台３に柱２を立設する場合の接続構造を図３に基づいて説明する。
図３に見られるとおり、柱を立設する位置に予め接続金具１の例えば雄側金具１ａの雄側金具突出側壁１２’を溶着した土台３と、その下部に予め雌側金具１ｂの雌側金具突出側壁１４’を溶着した柱２とが、図２に示し、かつ上記「０００７」で説明したように、土台３に溶着された雄側金具１ａと、柱２の下部に溶着された雌側金具１ｂとの底面１５同士が当接するように配設され、前記雄側金具１ａと雌側金具１ｂの締結具挿入孔１６が整合されて貫通孔が形成された後、該貫通孔にボルト５が挿通され、ナット６により締結されて、土台３と柱２との接続構造が構成され、土台３上に柱２が立設される。
なお、上記説明とは逆に土台３に雌側金具１ｂが、柱２の下部に雄側金具１ａが溶着されることであってもよい。
【０００９】
（柱同士の接合）
次に上記実施例の接続金具１を使用して２本の柱２同士を接合する場合の接続構造を図４に基づいて説明する。
図４に見られるとおり、その上端に予め接続金具１の例えば雄側金具１ａの雄側金具突出側壁１２’を溶着した下方に位置する柱２ａと、その下端に雌側金具１ｂの雌側金具突出側壁１４’を溶着した上方に位置する柱２ｂとが、下方に位置する柱２ａに溶着された雄側金具１ａと、上方に位置する柱２ｂの下端に溶着された雌側金具１ｂとをその底面１５同士が当接するように配設し、前記雄側金具１ａと雌側金具１ｂの締結具挿入孔１６を整合させて貫通孔を形成した後、該貫通孔にボルト５が挿通され、ナット６により締結されることによって柱２同士の接続構造が構成される。
なお、上記説明とは逆に、下方に位置する柱２ａの上端に雌側金具１ｂが、上方に位置する柱２ｂの下端に雄側金具１ａが溶着されることであってもよい。
【００１０】
（柱と梁との接合）
続けて上記実施例の接続金具１を使用して柱２と梁４を接合する場合の接続構造を図５に基づいて説明する。
図５に見られるとおり、梁４を架設する位置に、接続金具１の例えば雄側金具１ａの接続金具突出側壁１１’を溶着した柱２と、両端に接続金具１の雌側金具１ｂの接続金具突出側壁１１’を溶着した梁とが、柱２の側面に溶着された雄側金具１ａと、梁の下端に溶着された雌側金具１ｂとをその底面１５同士が当接するように配設し、前記雄側金具１ａと雌側金具１ｂの締結具挿入孔１６を整合させて貫通孔を形成した後、該貫通孔にボルト５が挿通され、ナット６により締結されることによって柱同士の接続構造が構成される。
なお、上記説明とは逆に柱２に雌側金具１ｂが、梁４に雄側金具１ａが溶着されることであってもよい。
【００１１】
上記土台３と柱２、柱２同士、柱２と梁４の各接続構造において記述したように、接続金具１の雄側金具突出側壁１２’と雌雄側金具突出側壁１４とが常に構造物の上下に配置され、下方に位置する雄側金具１ａ又は雌側金具１ｂのいずれか、例えば雄側金具１ａの雄側金具突出側壁１２’の突出縁部１２’ａが上方に位置する雌側金具１ｂの接続金具突出側壁１１’を支え、かつ下方に位置する雄側金具１ａの接続金具突出壁１１’が上方に位置する雌側金具１ｂの雌側突出側壁１４’の突出縁部１４’ａを支えるようにすることが、接続構造の強度を高める上で好ましい。
【００１２】
【発明の効果】本発明によれば、下記のような効果が発揮できる。
▲１▼  本鋼製建築部材の接続金具は、雄側金具１ａと雌側金具１ｂが互いに、その有底短四角筒の底面を当接するようにして締結具によって締着されるが、その構造上当接の向きが一方向に限られるので、接続時の位置決めが容易、確実に行え、誤接続の恐れもない。
▲２▼  本鋼製建築部材の接続金具は、構造が簡単で量産に適し、またその接続も複数のボルトとナットだけですみ、簡便で作業性に富む。
▲３▼  本鋼製建築部材の接続金具の雌雄の金具は、工作機械、工具などを十分に備えた工場でそれぞれの建築部材に溶着されて建設現場に持ち込めるので、精度の高い鋼製建築接続構造の建築物が建造できる。また工期も短縮できる。
【図面の簡単な説明】
【図１】本発明の鋼製建築部材の接続金具の実施例の斜視図。
【図２】接続金具の接続方法を示す斜視図
【図３】土台と柱の接続構造を示す斜視図。
【図４】本実施例の接続金具を使用した柱同士の接続構造を示す斜視図。
【図５】本実施例の接続金具を用いた柱と梁との接続構造を示す斜視図。
【符号の説明】
１：接続金具                                                        １ａ：雄側金具
１ｂ：雌側金具                                                      ２：柱
２ａ：下方に位置する柱                                    ２ｂ：上方に位置する柱
３：土台                                                                ４：梁
５：ボルト                                                            ６：ナット
７：座金
１１：底面を前面にして横設された有底短四角筒の下部側壁
１２：底面を前面にして横設された有底短四角筒の左側側壁
１３：底面を前面にして横設された有底短四角筒の上部側壁
１４：底面を前面にして横設された有底短四角筒の右側側壁
１１’：接続金具突出側壁
１２’：雄側金具突出側壁
１４’：雌側金具突出側壁
１２’ａ，１４’ａ：突出縁部
１５：有底短四角筒の底面
１６：締結具挿入孔
【図１】
2004353412.tif 000003
【図２】
2004353412.tif 000004
【図３】
2004353412.tif 000005
【図４】
2004353412.tif 000006
【図５】
2004353412.tif 000007